(57)【要約】      （修正有）【課題】背中に水筒を掛ける機能と、背中に掛けるベルトを素早く水筒蓋内に収容させる機能を兼ね備えた、ベルトを収納可能な水筒の蓋を提供する。【解決手段】水筒と結合される水筒蓋１０と、該水筒蓋の底部に係合される回転環状部２０と、ベルト３０とによって構成する。前記水筒蓋の側壁１４には長方形溝１５が設けられ、前記回転環状部の頂部には、直径が小さい垂直壁が設けられ、垂直壁と水筒蓋の側壁の間には、ベルトを巻きつける收納空間が形成され、垂直壁には穿孔が設けられる。ベルトは、前記穿孔に通され、水筒蓋側壁の溝孔を介してベルトの延伸部は水筒蓋の外部に露出し、さらに、ベルトの延伸部は加工されて密封状を形成する。以上の構造により、使用者はベルトを介して水筒を背中に掛けることができる。使用者が、背中に掛ける機能を使用したくない時は、水筒蓋の底部に設けられた回転環状部を直接回転させれば、ベルトを素早く水筒蓋の收納空間内に収納させることができる。【選択図】図１
0003172043.tif 000002
【実用新案登録請求の範囲】
【請求項１】
水筒蓋と、回転環状部と、ベルトと、からなるベルトを収納可能な水筒の蓋であって、
前記水筒蓋は、水筒の口部に結合され、前記水筒蓋の側壁には長方形溝が設けられ、水筒蓋の側壁の内層には、水筒蓋と回転環状部を相互に結合させるための結合部材が設けられ、
前記回転環状部は、水筒蓋底縁に結合され、回転環状部の内側底縁には結合台座が設けられ、回転環状部の頂部内側には垂直壁が設けられ、垂直壁には穿孔が設けられ、
前記ベルトは、水筒蓋と回転環状部が結合されて形成される收納空間内に収容されるとともに、前記回転環状部の垂直壁の穿孔に通され、水筒蓋の側壁の溝孔を介して外部に露出され、背中に掛けられることを特徴とする、ベルトを収納可能な水筒の蓋。
【請求項２】
前記回転環状部の頂部に設けられた垂直壁は、直径が小さい環状壁を呈し、環状壁と水筒蓋の側壁の間には收納空間が形成されることを特徴とする、請求項１に記載のベルトを収納可能な水筒の蓋。
【請求項３】
前記回転環状部の外側にはざらざら部が設けられることを特徴とする、請求項１、または、請求項２に記載のベルトを収納可能な水筒の蓋。
【請求項４】
前記水筒蓋の側壁に設けられた結合部材は、複数のフック部材であり、フック部材により水筒蓋は回転環状部に係合されることを特徴とする、請求項１、または、請求項２に記載のベルトを収納可能な水筒の蓋。
【請求項５】
前記水筒蓋の底縁には凸リブが設けられ、環状壁の底部には凹んでいる平台が設けられ、平台には、水筒蓋の凸リブと対応する凹溝が設けられ、組み立てた時、凸リブは前記凹溝内に嵌合されることを特徴とする、請求項１、または、請求項２に記載のベルトを収納可能な水筒の蓋。
【請求項６】
前記穿孔は、二つ以上の平行溝孔からなり、ベルトは平行溝孔に通されて固定されることを特徴とする、請求項１、または、請求項２に記載のベルトを収納可能な水筒の蓋。
【請求項７】
前記水筒蓋の内部には内ネジ山が設けられ、前記水筒蓋の頂部には、吸い部材が設けられた受け台座が設けられ、受け台座の底部には、貫通する排水孔が設けられることを特徴とする、請求項１に記載のベルトを収納可能な水筒の蓋。
【請求項８】
水筒蓋の側壁の内層に設けられた結合部材は複数のフック部材であり、各フック部材の間には連結壁が設けられることを特徴とする、請求項１に記載のベルトを収納可能な水筒の蓋。
【考案の詳細な説明】
【技術分野】
【０００１】
本考案はベルトを収納可能な水筒の蓋に関し、特に背中に水筒を掛ける機能と、背中に掛けるベルトを素早く水筒蓋内に収容させる機能を兼ね備えた、ベルトを収納可能な水筒の蓋に関する。
【背景技術】
【０００２】
水筒は携帯に便利で、いつでも水を飲むことができる上、近年は環境保護に対する意識が高まってきているため、通学、仕事、運動、或いは旅行時に、人々が水筒に水を入れて持ち運ぶことが多くなっている。また、一般的な、従来のベルト付き水筒は、使用者が外出するときに携帯に便利であり、体に掛けて持ち運ぶこともできる。しかしながら、使用者が自転車に乗ったり、登山をしたり、ロッククライミングをしたりする際に、背中に掛けることはできず、また、その他の状況の場合も、前記水筒をバックの脇の袋に入れる時に、前記ベルトの設計は明らかに邪魔になる。それらの水筒のベルトはボタン方式で瓶に係合されるが、使用しない時は、素早く取り外すことができる。しかしながら、前記のような構造は使用上不便であるだけでなく、ベルトを紛失いしやく、或いは、外出時に携帯するのを忘れてしまって使用できなくなるため、従来の水筒のベルトの設計は理想的とはいえず、改善が待たれている。
【考案の概要】
【考案が解決しようとする課題】
【０００３】
本考案は、水筒蓋の回転環状部を回転させるだけで、背中に掛けるベルトを水筒蓋内に収容することができ、素早い収容効果を達成することができるため、使用上便利で実用的である、ベルトを収納可能な水筒の蓋結構を提供することを目的とする。
【課題を解決するための手段】
【０００４】
上述の目的を達成するために、本考案によるベルトを収納可能な水筒の蓋は、水筒と結合される水筒蓋と、水筒蓋の底部に係合される回転環状部と、ベルトとによって構成する。前記水筒蓋の側壁には長方形溝が設けられ、前記回転環状部の頂部には、直径が小さい垂直壁が設けられ、垂直壁と水筒蓋の側壁の間には收納空間が形成され、垂直壁には穿孔が設けられ、穿孔は二つ以上の平行溝孔であり、ベルトは二つの平行溝孔に通されて固定される。ベルトは、收納空間内に収容されるとともに、前記穿孔に通され、水筒蓋側壁の溝孔を介してベルトの延伸部は水筒蓋の外部に露出し、さらに、ベルトの延伸部は加工されて密封状を形成する。以上の構造により、使用者はベルトを介して水筒を背中に掛けて使用することができる。使用者が、背中に掛ける機能を使用したくない時は、水筒蓋の底部に設けられた回転環状部を直接回転させれば、ベルトが水筒蓋の收納空間内に収納され、素早くベルトをしまう機能を達成することができる。
【図面の簡単な説明】
【０００５】
【図１】本考案の外観を示した斜視図である。
【図２】本考案の構造を示した分解図である。
【図２ａ】本考案の水筒蓋を底側から見た外観を示した斜視図である。
【図２ｂ】本考案のベルトの取り付けを示した説明図である。
【図３】本考案の一部を示した断面図である。
【図４】本考案のベルトをしまう動作を示した説明図である。
【図５】本考案のベルトを引っ張り出して使用する動作を示した説明図である。
【考案を実施するための形態】
【０００６】
図１から図３に示すように、本考案によるベルトを収納可能な水筒の蓋は、主に、水筒蓋１０と、水筒蓋１０の底部に係合される回転環状部２０と、ベルト３０とによって構成する。
【０００７】
水筒蓋１０は水筒４０の口部４１に連結される。なお、本実施例の水筒蓋１０の内部には内ネジ山１１が設けられ（図２ａ）、水筒蓋１０は、口部４１に外ネジ山４２を備えた水筒４０に螺合される。また。水筒蓋１０の頂部には受け台座１２が設けられ、受け台座１２の底側には、貫通する排水孔１３が設けられ、さらに、受け台座１２には吸い部材５０が設けられる。吸い部材５０の中央孔は排水孔１３に対応し、それにより、使用者は水を飲むことができる。また、本考案の水筒蓋１０の側壁１４には長方形溝１５が設けられ、水筒蓋１０の底縁には、凸リブ１６が設けられ、水筒蓋１０の側壁１４の内縁には結合部材が設けられ、結合部材により、水筒蓋１０と回転環状部２０は相互に結合させることができる。図２において、結合部材は複数のフック部材１７であり、水筒蓋は、フック部材１７を利用して、回転環状部２０の内側底縁の結合台座２６に係合させることができる。図２ａに示すように、本考案の実施例の各フック部材１７の間には、更に連結壁１８が設けられる。そうすることで、フック部材１７の高さを短くして強度を高めることができる。また、連結壁１８と側壁１４の間には挟み層が形成され、ベルトを収容することができる。
【０００８】
本実施例において、回転環状部２０の頂部には、直径が小さい垂直壁２１が設けられ、この垂直壁は、円状の環状壁の形態を呈する。垂直壁２１には穿孔２２が設けられ、穿孔２２の構造は、図に示すように、二つの平行な溝であり、その二つの平行の溝にベルト３０を通して固定することができる。垂直壁２１の底部には凹んでいる平台２３が設けられ、平台２３には、水筒蓋１０の凸リブ１６に対応する凹溝２４が設けられ、組み立てる時、凸リブ１６を凹溝２４内に嵌合させるとともに、水筒蓋１０のフック部材１７を回転環状部２０内側底縁の結合台座２６に引っかけ係合させると（図３に図示）、水筒蓋１０と回転環状部２０を相互にスライドさせ回転させることができ、また、回転環状部２０の垂直壁２１と水筒蓋１０の側壁１４の間に收納空間Ａが形成される（図３に図示）。また、水筒蓋１０と回転環状部２０が形成する收納空間Ａは、側壁１４と垂直壁２１によって形成されるが、図示した実施例以外のその他の実施例では、垂直壁２１を円形でない形状にすることができ、その場合、各フック部材１７によって水筒蓋１０と結合台座２６を係合させた時、各フック部材１７と側壁１４間に收納空間Ａが形成され、同様に、收納ベルト３０が必要な收納空間となる。また、回転環状部２０外周縁には、本考案を使用する時に回転環状部２０を回転しやすくするために、ざらざら部２５が設けられる。また、穿孔２２の構造は、二つ以上（例えば、三つ、或いは四つ）の平行溝孔を設けてなり、ベルト３０を各平行溝孔に通して固定することで、ベルトの端部を固定する作用を達成することができる。
【０００９】
また、前記垂直壁は円状の環状壁２１の形態を呈し、垂直壁には穿孔２２が設けられるが、垂直壁は、完全な円状の環状壁でなくてもよく、断片状の垂直な垂直壁に穿孔２２を設けることもできる。その場合も、各フック部材１７を利用して、水筒蓋１０と結合台座２６を係合させた時、各フック部材１７と側壁１４の内壁間には收納空間Ａが形成される。
【００１０】
ベルト３０は、水筒蓋１０と回転環状部２０によって形成される收納空間Ａ内に収容され、回転環状部２０の穿孔２２に通されて末端が固定され（図２ｂに図示）、さらに、水筒蓋１０の側壁１４の溝孔１５を介してベルトは水筒蓋１０の外部に露出される。また、本実施例では、ベルト３０の延伸部の両端は、水筒蓋１０外部へと通され、さらに、機械縫いによって、延伸部分の末端は折り重ねられて縫い合わされ密閉状を形成する。それにより、ベルト３０の端部にストッパーの効果が形成され、ベルト３０は水筒蓋１０の溝孔１５の外縁箇所にとどまる。また、前記ベルト３０を実際に使用する際、加熱プレスにより結合する方法、或いは、装飾用の太陽リングや引っ張り部材に直接通す方法、或いは、両端部のそれぞれに雄ボタン、雌ボタンをつける方法などを使用することができる。
【００１１】
また、ベルト３０を実際操作する際、ベルト３０をわずかの長さ分だけ引っ張り出すことで、使用者の手首にかけることができる。そして、さらに、わずかに回転環状部２０を元に戻すように回転させれば、手首に掛けて使用することができる。従って、ベルトの長さが適切でないために手首にかけにくくなるという問題が生じなくなる。
【００１２】
図４と図５に示すように、本考案を使用する際は、使用者が水筒蓋１０下方に係合された回転環状部２０を回転させるだけで、ベルト３０を水筒蓋１０内部の收納空間Ａ内にしまうことができる。反対に、ベルト３０の背中に掛ける機能を使用したい時は、使用者がベルト３０の外に露出した延伸部分の端部を引っ張るだけで、しまったベルト３０を素早く引っ張りだすことができ、それにより、使用者は背中に掛けることができる。
【００１３】
以上の構造をもつ本考案は、以下の利点を備える。
【００１４】
１、本考案は、ベルトを素早くしまったり、或いは、直接引っ張り出して使用したりすることができるため、従来の水筒にあったベルトの取り付け取り外しの不便さをなくすことができる。
【００１５】
２、本考案は、ベルトを水筒蓋の内部に直接収納させることができベルトを取り外した後に紛失してしまう心配を減らすことができる。
【００１６】
３．本考案は、使用者が水筒を携帯する時、様々な状況に応じて、ベルトを背中に掛けたり、ベルトを収納したりすることができ、使用しやすい。
【符号の説明】
【００１７】
１０      水筒蓋            
１１      内ネジ山
１２      受け台座          
１３      排水孔
１４      側壁            
１５      長方形溝
１６      凸リブ            
１７      フック部材
１８      連結壁
２０      回転環状部            
２１      垂直壁
２２      穿孔          
２３      平台
２４      凹溝            
２５      ざらざら部
２６      結合台座
３０      ベルト
４０      水筒            
４１      口部
４２      外ネジ山
５０      吸い部材
【図１】
0003172043.tif 000003
【図２】
0003172043.tif 000004
【図２ａ】
0003172043.tif 000005
【図２ｂ】
0003172043.tif 000006
【図３】
0003172043.tif 000007
【図４】
0003172043.tif 000008
【図５】
0003172043.tif 000009